(57)【要約】【課題】カードを収納するカードホルダーを備えた携帯電子機器用保護ケースを提供すること。【解決手段】本考案に係る携帯電子機器用保護ケースは、第一底壁を有する主体部と、該主体部に着脱可能に装着されるカバー体と、を備え、前記主体部は、前記第一底壁の相対する二つの表面のうちの一方の表面に形成された第一収容凹部と、前記二つの表面のうちの他方の表面に形成された第二収容凹部とを備え、前記カバー体は、前記主体部に被せられ、且つ前記第二収容凹部を遮蔽する。【選択図】図１
0003182492.tif 000002
【実用新案登録請求の範囲】
【請求項１】
第一底壁を有する主体部と、
該主体部に着脱可能に装着されるカバー体と、
を備える携帯電子機器用保護ケースにおいて、
前記主体部は、前記第一底壁の相反する二つの表面のうちの一方の表面に形成された第一収容凹部と、前記二つの表面のうちの一方の表面に形成された第二収容凹部と、を備えており、前記カバー体は、前記主体部に被せられ、且つ前記第二収容凹部を遮蔽することを特徴とする携帯電子機器用保護ケース。
【請求項２】
前記第一収容凹部は、携帯電子機器を収納するために用いられ、
前記第二収容凹部は、カードを収納するために用いられ、前記カバー体によって該カードを前記第二収容凹部内に保持させることを特徴とする請求項１に記載の携帯電子機器用保護ケース。
【請求項３】
前記主体部は、前記第一底壁の周縁を囲むように突設された周壁をさらに備え、
前記第一収容凹部は、前記第一底壁及び前記周壁により構成され、
前記第二収容凹部は、前記第一底壁における前記第一収容凹部の反対側の表面に設けられていることを特徴とする請求項１または請求項２に記載の携帯電子機器用保護ケース。
【請求項４】
前記カバー体は、第二底壁と、前記第二底壁の周縁を囲むように突設された係止用フランジと、を備え、
前記第一底壁の前記第二収容凹部が位置する表面における周縁に近接する部位には、固定リブがさらに突設され、
前記係止用フランジを前記固定リブの外側に対応して係合させることにより、前記カバー体を前記主体部に装着する構成としたことを特徴とする請求項１から３のいずれか一項に記載の携帯電子機器用保護ケース。
【請求項５】
前記カバー体の係止用フランジには、切欠きが設けられており、
前記カバー体が前記主体部に装着された後、前記切欠きを介して前記カバー体に外力を加えて、前記係止用フランジと前記固定リブとの係合を解除して、前記カバー体を前記主体部から取り外すことを特徴とする請求項４に記載の携帯電子機器用保護ケース。
【請求項６】
前記第二収容凹部の長手方向に沿う一端を、前記第一底壁の縁まで延伸させ且つ前記固定リブを貫通させて、前記切欠きに対応する開口を形成し、
前記カバー体が前記主体部に装着された後、前記切欠き及び前記開口により、前記カードを挿入するための差込口が形成され、該差込口を経由して、前記カードを前記第二収容凹部内から出し入れすることを特徴とする請求項４に記載の携帯電子機器用保護ケース。
【請求項７】
前記カバー体の前記第二底壁には、貫通孔がさらに設けられ、
前記カバー体が前記主体部の前記第一底壁に被せられた後、前記貫通孔が前記第二収容凹部と互いに連通するので、前記第二収容凹部内に収納されたカードの一部は、前記貫通孔を介して露出されることを特徴とする請求項４に記載の携帯電子機器用保護ケース。
【請求項８】
前記第二底壁の前記主体部に対向する表面には、前記貫通孔の一端の周縁を囲む環状突起部が設けられ、
前記カードが前記主体部の前記第二収容凹部内に装入された後、前記環状突起部によって該カードを前記第二収容凹部の底面に圧接させて、該カードを前記第二収容凹部内に固定することを特徴とする請求項７に記載の携帯電子機器用保護ケース。
【請求項９】
前記第二収容凹部内には、前記開口に近接して位置決めリブがさらに突設されており、
前記カードを前記第二収容凹部内に収納した後、該位置決めリブによって前記カードの一端を当止し、前記カードが前記差込口から前記第二収容凹部の外へ滑り出すことを防止することを特徴とする請求項６に記載の携帯電子機器用保護ケース。
【請求項１０】
主体部及び該主体部に着脱可能に装着されるカバー体を備える携帯電子機器用保護ケースであって、
前記主体部の対向する両面のうちの一方の表面には、携帯電子機器を収納するための電子機器用収容凹部が形成され、前記両面のうちの他方の表面には、カードを収納するためのカード用収容凹部が形成され、前記カバー体を前記主体部に被せることによって、前記カード用収容凹部を遮蔽し且つ前記カードを前記カード用収容凹部内に固定することを特徴とする携帯電子機器用保護ケース。
【考案の詳細な説明】
【技術分野】
【０００１】
本考案は、携帯電子機器用保護ケースに関するものである。
【背景技術】
【０００２】
現在、携帯電子機器のハウジングが摩擦或いは衝撃によって損傷することを防止するために、通常、携帯電子機器を専用の保護ケース内に装着して該携帯電子機器を保護する。
【０００３】
一方、人々は、日常生活の中で様々なカードを頻繁に使用する。例えば、クレジットカード、キャッシュカード、カードキー等その種類は多種にわたる。そのため、毎日携帯電話機等の携帯電子機器及び様々なカードを両方別々に携帯することは、非常に不便である。
【考案の概要】
【考案が解決しようとする課題】
【０００４】
そこで、本考案は上記の問題点を考慮した上で、カードホルダーを備えた携帯電子機器用保護ケースを提供することを目的とする。
【課題を解決するための手段】
【０００５】
上記の目的を達成するために、本考案に係る携帯電子機器用保護ケースは、第一底壁を有する主体部と、該主体部に着脱可能に装着されるカバー体と、を備え、前記主体部は、前記第一底壁の相対する二つの表面のうちの一方の表面に形成された第一収容凹部と、前記二つの表面のうちの一方の表面に形成された第二収容凹部と、を備え、前記カバー体は、前記主体部に被せられ、且つ前記第二収容凹部を遮蔽する。
【０００６】
また、上記の目的を達成するために、本考案に係る携帯電子機器用保護ケースは、主体部及び該主体部に着脱可能に装着されるカバー体を備え、前記主体部の対向する両面のうちの一方の表面に、携帯電子機器を収納するための電子機器用収容凹部が形成されており、前記両面のうちの他方の表面には、カードを収納するためのカード用収容凹部がそれぞれ形成され、前記カバー体を前記主体部に被せることによって、前記カード用収容凹部を遮蔽し、且つカードを前記カード用収容凹部内に固定する。
【考案の効果】
【０００７】
従来の技術と異なり、本考案に係る携帯電子機器用保護ケースは、主体部の相反する両面のそれぞれに設けられた、電子機器用収容凹部及びカード用収容凹部を備えている。これにより、携帯電子機器用保護ケースは、携帯電子機器を収納して保護すると共に、カードを同時に収納することができる。従って、本考案の携帯電子機器用保護ケースは、携帯電子機器及び様々なカードを両方共に携帯することができるため、便利である。
【０００８】
また、本考案の携帯電子機器用保護ケースは、その主体部に着脱可能に装着されるカバー体を備えるので、異なる色及び／或いは模様のカバー体を取り換えることができ、それによって、携帯電子機器の外観を変えることができる。
【図面の簡単な説明】
【０００９】
【図１】本考案の実施形態に係る携帯電子機器用保護ケースの分解図である。
【図２】図１に示した携帯電子機器用保護ケースを別の視点から見た分解図である。
【図３】図１に示した携帯電子機器用保護ケースにカードを装入した後の分解図である。
【図４】図３に示した携帯電子機器用保護ケースの組立図である。
【図５】図４に示した携帯電子機器用保護ケースのＶ−Ｖ線に沿った断面図である。
【考案を実施するための形態】
【００１０】
図１乃至図３に示したように、本考案に係る携帯電子機器用保護ケース１００は、携帯電話機等を収納して保護する一方でカードを収納するために用いられており、且つ主体部１０と、該主体部１０に着脱可能に装着されるカバー体３０と、を備える。
【００１１】
前記主体部１０の対向する二つの表面のうちの一方の表面には、電子機器用収容凹部１１が設けられており、該二つの表面のうちの他方の表面には、カード用収容凹部１３が設けられている。電子機器用収容凹部１１は、携帯電子機器（図示せず）を収納するために用いられており、カード用収容凹部１３は、カード２００（図３を参照）を収納するために用いられている。カバー体３０は、主体部１０を被覆するように主体部１０に係合されており、カード用収容凹部１３を遮蔽して、カード２００をカード用収容凹部１３内に保持させる。カード２００は、テレフォンカード、定期券、キャッシュカード及び名刺等であることができる。
【００１２】
より詳細に説明すると、主体部１０は、第一底壁１５と、該第一底壁１５の周縁を囲むように突設された周壁１７と、をさらに備える。電子機器用収容凹部１１は、第一底壁１５及び周壁１７により構成される。カード用収容凹部１３は、第一底壁１５における電子機器用収容凹部１１の反対側の表面に設けられている。
【００１３】
第一底壁１５のカード用収容凹部１３が位置する表面における周縁に近接する部位には、固定リブ１５１が突設されている。さらに、この固定リブ１５１の外側には、スロット１５１１が形成されている。また、カバー体３０は第二底壁３１を備え、且つ該第二底壁３１の周縁を囲むように突設された係止用フランジ３３を備える。この係止用フランジ３３が固定リブ１５１のスロット１５１１に対応しており、該係止用フランジ３３を固定リブ１５１のスロット１５１１に係合させる（図５を参照）ことにより、カバー体３０が主体部１０に係止し、該主体部１０に固定される。
【００１４】
カード用収容凹部１３の長手方向に沿う一端は第一底壁１５の縁まで延伸し、且つ固定リブ１５１を貫通する。これにより、カード用収容凹部１３の一方側には開口１３１が形成される。カバー体３０の係止用フランジ３３における開口１３１に対応する部位には、切欠き３３１が設けられている。カバー体３０が主体部１０に装着された際、切欠き３３１は開口１３１と位置合わせされ、開口１３１と共同で、カードを装入するための差込口５０（図４を参照）を形成する。カバー体３０と主体部１０とが一体に組み立てられた後、カード２００は差込口５０を介して、カード用収容凹部１３内から出し入れされる。また、ユーザーは、切欠き３３１を介してカバー体３０に外力をやや加えることで、係止用フランジ３３とスロット１５１１との係合を解除して、カバー体３０を主体部１０から取り外すことができる。
【００１５】
カード用収容凹部１３内において、開口１３１に近接する箇所には、位置決めリブ１３３が突設されている。カード２００がカード用収容凹部１３内に収納された後、位置決めリブ１３３はカード２００の一端に当止される（図３を参照）。これにより、カード２００はカード用収容凹部１３内に位置決めされ、カード２００が差込口５０を経由してカード用収容凹部１３の外へ滑り出すことを防止することができる。本実施形態において、位置決めリブ１３３は細長い形状であり、且つ第一底壁１５の縁に平行して延伸するように形成される。
【００１６】
また、第一底壁１５には第一カメラ用孔１５３が設けられており、第二底壁３１には第二カメラ用孔３１１が設けられている。カバー体３０が主体部１０に被せられて該主体部１０に係合された後、第一カメラ用孔１５３と第二カメラ用孔３１１とは互いに重なり、携帯電子機器のカメラ素子を露出させる。
【００１７】
周壁１７における第一底壁１５から離れている縁には、電子機器用収容凹部１１の内側に向かって延伸する止め部１７１が設けられる。携帯電子機器を電子機器用収容凹部１１内に係合させると、止め部１７１は携帯電子機器の上面に係止されて、携帯電子機器を電子機器用収容凹部１１内に強固に且つ安定して収納させる。また、周壁１７の上下両端には、切欠き１７３がそれぞれ設けられている。携帯電子機器のイヤホンジャック、電源ボタン及び各種の接続ポート等は、上下に位置する切欠き１７３を介してそれぞれ露出される。また、主体部１０の左右両側の周壁１７には、携帯電子機器の音量ボタン等を露出させるための押しボタン用貫通孔１７５が設けられている。本実施形態において、押しボタン用貫通孔１７５は、主体部１０の一方側の周壁１７のみに設けられる。
【００１８】
カバー体３０の第二底壁３１には貫通孔３１３がさらに設けられている。カバー体３０が主体部１０の第一底壁１５に被せられた後、貫通孔３１３はカード用収容凹部１３と互いに連通する。これにより、カード用収容凹部１３内に収納されたカード２００の一部は、貫通孔３１３を介して露出し、ユーザーは貫通孔３１３を介してカード２００を操作することができる。例えば、ユーザーは、貫通孔３１３を介してカード２００を推進して差込口５０から退出させて、カード２００をカード用収容凹部１３から取り出すことができる。第二底壁３１の主体部１０に対向する表面には、貫通孔３１３の一端の周縁を囲むように設けられた環状突起部３１５（図２を参照）が備えられている。カード２００が主体部１０のカード用収容凹部１３内に装入された後、環状突起部３１５はカード２００に押圧力を加えて、カード２００をカード用収容凹部１３の底面に圧接させて、カード２００を固定する。
【００１９】
携帯電子機器用保護ケース１００を使用する場合、カバー体３０を主体部１０に装着した後、差込口５０を介してカード２００をカード用収容凹部１３内に挿入する。またこの時、カード２００をカード用収容凹部１３内に収納した後、カバー体３０を主体部１０に被せて、カバー体３０は主体部１０に係合されてもよい。カード２００を取り出す場合、貫通孔３１３を介してカード２００を所定の位置まで推進した後、差込口５０からカード２００を取り出すことができ、又はカバー体３０を主体部１０から取り外した後、カード２００を取り出すことができる。
【００２０】
上記の実施形態によれば、本考案は、携帯電子機器用保護ケース１００の主体部１０の相反する両面のそれぞれに設けられた、電子機器用収容凹部１１及びカード用収容凹部１３を備えている。これにより、携帯電子機器用保護ケース１００は、携帯電子機器を収納して保護すると共に、カード２００を同時に収納することができる。従って、本考案の携帯電子機器用保護ケース１００は、携帯電子機器及び様々なカードを両方共に携帯することができるため、便利である。
【００２１】
その他、本考案の携帯電子機器用保護ケース１００は、その主体部１０に着脱可能に装着されるカバー体３０を備えるので、異なる色及び／或いは模様のカバー体３０を取り換えることができ、それによって、携帯電子機器の外観を変えることができる。
【００２２】
以上、本考案の好適な実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、いうまでもない。
【符号の説明】
【００２３】
１０          主体部
１１          電子機器用収容凹部
１３          カード用収容凹部
１５          第一底壁
１７          周壁
３０          カバー体
３１          第二底壁
３３          係止フランジ
５０          差込口
１００        携帯電子機器用保護ケース
１３１        開口
１３３        位置決めリブ
１５１        固定リブ
１５３        第一カメラ用孔
１７１        止め部
１７３        切欠き
１７５        押しボタン用貫通孔
２００        カード
３１１        第二カメラ用孔
３１３        貫通孔
３１５        環状突起部
３３１        切欠き
１５１１      スロット
【図１】
0003182492.tif 000003
【図２】
0003182492.tif 000004
【図３】
0003182492.tif 000005
【図４】
0003182492.tif 000006
【図５】
0003182492.tif 000007